(57)【要約】【課題】除湿機の生産コストと運転騒音の低減。【解決手段】枠体側面に吸込口５を上面に吹出口６を備え、内部に蒸発器８と凝縮器９と送風ファン１０を備え、前記吸込口５と蒸発器８、凝縮器９、送風ファン１０、吹出口６を連通して送風経路を形成し、前記蒸発器８と凝縮器９をドレンパンと上部固定部材の間に固定する除湿機に於いて、前記送風ファン１０のファンガイド部１５と上部固定部１６とドレンパン部１７を樹脂材料にて一体に形成し、前記ファンガイド部１５と上部固定部１６の間、及びファンガイド部１５とドレンパン部１７の間にそれぞれ折曲可能な肉薄部１８を形成し、折曲により前記蒸発器８と凝縮器９をドレンパン部１７と上部固定部１６の間に位置させるようにしたものである。【選択図】      図２
2004205086.tif 000002
【特許請求の範囲】
【請求項１】
枠体側面に吸込口を上面に吹出口を備え、内部に蒸発器と凝縮器と送風ファンを備え、前記吸込口と蒸発器、凝縮器、送風ファン、吹出口を連通して送風経路を形成し、前記蒸発器と凝縮器をドレンパンと上部固定部材の間に固定する除湿機に於いて、前記送風ファンのファンガイド部と上部固定部とドレンパン部を樹脂材料にて一体に形成し、前記ファンガイド部と上部固定部の間、及びファンガイド部とドレンパン部の間にそれぞれ折曲可能な肉薄部を形成し、折曲により前記蒸発器と凝縮器をドレンパン部と上部固定部の間に位置させる事を特徴とする除湿機。
【請求項２】
前記ファンガイド部とドレンパン部又は上部固定部を折曲後係止する係止手段を設けた事を特徴とする請求項１記載の除湿機。
【発明の詳細な説明】
【０００１】
【発明の属する技術分野】
この発明は、一般家庭で使用される小型の除湿機に関するものである。
【０００２】
【従来の技術】
従来の除湿機は、図４で示す様に樹脂製の外枠ａの一方の側面に吸込口ｂを、この吸込口ｂの反対側の外枠ｃ上面に吹出口ｄを設け、外枠ａ・ｃ内に蒸発器ｅ、凝縮器ｆ、送風ファンｇを備え、下部には圧縮機ｈとドレンタンクｉを設け、前記蒸発器ｅと凝縮器ｆはドレンパンｊと上部固定部材ｋの間にそれぞれ固定され、前記凝縮器ｆの側面にはファンモータｌとファンｇを取付けると共にファンｇに空気を導くファンガイドｍを設け、前記圧縮機ｈと送風ファンｇの運転により、前記吸込口ｂから吸い込んだ空気中の水蒸気を低温の蒸発器ｅにて結露させたのち、凝縮器ｆで加熱して送風ファンｇにて吹出口ｄから乾燥空気を吹き出すものであった。（例えば、特許文献１参照）
【０００３】
【特許文献１】
特許第２９１９６９９号公報
【０００４】
【発明が解決しようとする課題】
ところでこの従来のものでは、上部固定部材とファンガイドとドレンパンがそれぞれ別々に設けられ、別々にネジ等で固定されていたので、金型費や組立コスト削減がかかると共に、運転時の圧縮機の振動で樹脂材料形成されている上部固定部材とファンガイドの間や、ファンガイドとドレンパンの間の接触面に軋みや擦れによる騒音が発生する問題が有った。
【０００５】
【課題を解決するための手段】
この発明はこの点に着目し上記欠点を解決する為、筐体側面に吸込口を上面に吹出口を備え、内部に蒸発器と凝縮器と送風ファンを備え、前記吸込口と蒸発器、凝縮器、送風ファン、吹出口を連通して送風経路を形成し、前記蒸発器と凝縮器をドレンパンと上部固定部材の間に固定する除湿機に於いて、前記送風ファンのファンガイド部と上部固定部とドレンパン部を樹脂材料にて一体に形成し、前記ファンガイド部と上部固定部の間、及びファンガイド部とドレンパン部の間にそれぞれ折曲可能な肉薄部を形成し、折曲により前記蒸発器と凝縮器をドレンパン部と上部固定部の間に位置させるようにしたものである。
【０００６】
また前記ファンガイド部とドレンパン部又は上部固定部を折曲後係止する係止手段を設けたものである。
【０００７】
これによって、従来３個有ったの部品を１つの金型で作成する事ができ金型費を削減する事ができるようになる。
また、部品点数が少なくなることで組み立て用のネジも少なくなり、組み立て工数も少なくできるようになる。
また、運転時の圧縮機の振動で樹脂材料で形成されている上部固定部材とファンガイドの間やファンガイドとドレンパンの間の接触面に軋みや擦れによる騒音の発生が少なくなるものである。
【０００８】
【発明の実施の形態】
この発明の除湿機を図面に示した一実施例で説明すれば、１は除湿機の枠体で底板２上に左枠体３と右枠体４とを設けて本体の外郭を構成している。
５は前記左枠体３に上部に形成された吸込口で、横長のスリットを多数備えた開口が設けられている。
【０００９】
６は前記右枠体４の上面に設けた吹出口で、開いた時に風向板を兼ねる開閉自在の蓋７によって乾燥空気の吹出方向を右斜め上方向から水平方向に自由にかえることができるものである。
前記吸込口５の内側には樹脂製の網や不織布からなり、吸入空気に混入するホコリを取り除くフィルタ（図示せず）をそなえている。このフィルタの内側にはフィンチューブ式の熱交換器からなる蒸発器８の更に下流には蒸発器８と同じくフィンチューブ式の熱交換器からなる凝縮器９下流には送風ファン１０及びこのファン１０を駆動するファンモータ１１を設け、前記吸込口５と吹出口６の間に形成した送風経路１２の送風を行うものである。
【００１０】
前記凝縮器９とファンモータ１１の間には、樹脂材料で一体成型された熱交固定部材１４を設け、この熱交固定部材１４は前記モータ１１を取付けると共に送風ファン１０の吸入口１３を備えたファンガイド部１５と、前記蒸発器８と凝縮器９のフィンの上面や銅管を固定する上部固定部１６と、蒸発器８で発生した結露水を受けるドレンパン部１７を一体に成形し、前記ファンガイド部１５と上部固定部１６の間と、ファンガイド部１５とドレンパン部１７の間に、折曲可能な肉薄部１８を形成し、この肉薄部１８を中心にして約９０度の角度で折り曲げて、蒸発器８と凝縮器９を挟み込み固定するものである。
【００１１】
１９はモータ取付部で、前記吸入口１３より立設される足の間を吸込空気が通過するものである。
２０は前記上部固定部１６の左右に突出する上固定片で、前記蒸発器８、凝縮器９の銅管等の上部を押さえるものである。
２１は前記ドレンパン部１７左右に突出する下固定片で、前記蒸発器８、凝縮器９の銅管等の下部を押さえるものである。
前記ファンガイド部１５の下部にはネジ穴用凸部２２を、折曲状態でこの凸部２２に対向するドレンパン部１７にはネジ穴２３を備え、ファンガイド部１５とドレンパン部１７の折曲状態をネジ２４にて保持する固定手段を備えるものである。
【００１２】
又前記上部固定部１６の下部には爪部２５を、折曲状態でこの爪部２５が係止する、溝又は突起２６をファンガイド部１５の上部に設ける係止手段を備えるものである。
【００１３】
２７は圧縮機で、前記凝縮器９とキャピラリーチューブ等の減圧装置（図示せず）と蒸発器８を冷媒配管で連通して、圧縮機２７の運転により凝縮器９は高温になり、蒸発器８は低温になるものである。
【００１４】
２８はドレンタンクで、前記枠体１の下部前面で前面穴２９に着脱自在に設けられ、ドレンタンク２８装着時に前記ドレンパン部１７の排水口３０から排水される結露水を溜めるものであり、タンク前面下部にはタンク２８を前面に引き出すための取手用凹部３１を備えている。
【００１５】
３２は枠体１上面の操作部で運転ボタン３３、タイマーボタン３４、運転コース選択ボタン３５等のボタン類を備えている。
３６は前記枠体１上面中央に設けた取手で、除湿機の持ち運びに使用するものである。
【００１６】
熱交固定部材１４と蒸発器８、凝縮器９の組立手順について説明すれば、まず熱交固定部材１４のモータ取付部１９にファンモータ１１をネジにて固定し、次にファンガイド部１５とドレンパン部１７の間の肉薄部１８を中心として約９０度折り曲げ、ネジ２２にてネジ穴２３を貫通し、ネジ穴用凸部２２にネジ止めする事でファンガイド部１５とドレンパン部１７の角度を保つものである。
【００１７】
次に凝縮器９、蒸発器８を凝縮器９、蒸発器８の順でドレンパン部１７の下固定片２１に乗せ、ファンガイド部１５と上部固定部１６の間の肉薄部１８から折り曲げ、上部固定部１６の上固定片２０の間に挟み込み、ファンガイド部１５の突起２６に上部固定部１６の爪部２５を係り止めすることで凝縮器９、蒸発器８を固定するものである。
【００１８】
このようにすることで、従来３個が別々であった部品を１つの金型で作成する事ができ金型費を削減する事ができるようになる。
また、部品点数が少なくなることで組み立て用のネジも少なくなり、組み立て工数も少なくでき、係止手段によって組立が容易になる。
また、運転時の圧縮機２７の振動で樹脂材料で形成されている上部固定部材とファンガイドの間やファンガイドとドレンパンの間の接触面に軋みや擦れによる騒音の発生が少なくなるものである。
【００１９】
【発明の効果】
以上のようにこの発明によれば、従来３個が別々であった部品を１つの金型で作成する事ができ金型費を削減する事ができるようになる。
また、部品点数が少なくなることで組み立て用のネジも少なくなり、組み立て工数も少なくでき、係止手段によって組立が容易になる。
また、運転時の圧縮機の振動で樹脂材料で形成されている上部固定部材とファンガイドの間やファンガイドとドレンパンの間の接触面に軋みや擦れによる騒音の発生が少なくなるものである。
【図面の簡単な説明】
【図１】この発明一実施例の斜視図。
【図２】同分解状態の斜視図。
【図３】同要部拡大断面図。
【図４】従来例の分解断面図。
【符号の説明】
１４  熱交固定部材
１５  ファンガイド部
１６  上部固定部
１７  ドレンパン部
１８  肉薄部
２５  爪部
【図１】
2004205086.tif 000003
【図２】
2004205086.tif 000004
【図３】
2004205086.tif 000005
【図４】
2004205086.tif 000006